(57)【要約】【課題】  商品陳列棚に吊るして展示する際の視認性の悪化や商品陳列時の見栄えの悪化等をなくし、さらに、当該商品包装用箱を上方に積み重ねて山積みに陳列した際に商品包装用箱がくずれるのを防止すると共に、流通時における搬送用の段ボール箱に当該商品包装用箱を効率良く収納する商品包装用箱を提供する。【解決手段】  前面部１と上面部５と左右の側面部３，４と後面部２と底面部６の六面を有して直方体状となると共に、上面部５に吊り下げ部７を備えた商品包装用箱において、前記吊り下げ部７を上面部５における前後中央に立ち上がり折り畳み自在に備えると共に、左右の側面部３，４の両方にその長手方向にわたって開封手段１０を備えて、この開封手段１０により左右の側面部３，４の両側が開くようにする。【選択図】  図１
2006341892.tif 000002
【特許請求の範囲】
【請求項１】
前面部１と上面部５と左右の側面部３，４と後面部２と底面部６の六面を有して直方体状又は立方体状となると共に、上面部５に吊り下げ部７を備えた商品包装用箱において、
前記吊り下げ部７を上面部５における前後中央に立ち上がり折り畳み自在に備えると共に、側面部にその長手方向にわたって開封手段１０を備えて、この開封手段１０により側面部が開くようにしたことを特徴とする商品包装用箱。
【請求項２】
前記開封手段１０にあっては、左右の側面部３，４の両方に備えて、左右の側面部３，４の両側が開くようにしたことを特徴とする請求項１記載の商品包装用箱。
【請求項３】
前記底面部６に、側面部に備えた開封手段１０に連続するようになる開封手段１２を備えて、これらの開封手段１０，１２により側面部と底面部６とが大きく開くようにしたことを特徴とする請求項１又は請求項２記載の商品包装用箱。
【発明の詳細な説明】
【技術分野】
【０００１】
本発明は、内部に商品を収納する商品包装用箱に関し、特に、店舗の商品陳列棚に吊るして展示できるように上部に吊り下げ部を備えた商品包装用箱に関する。
【背景技術】
【０００２】
従来、内部に商品を収納して店舗の商品陳列棚に吊るして展示する商品包装用箱としては、図８に示すように、縦長となる前面部１と後面部２、また縦長となる左右の側面部３，４、さらに上面部５及び底面部６、の六面から直方体状に形成し、その内部に商品を収納するようになっていた。
【０００３】
そして、後面部２の上部には上面部５より上方に突き出る吊り下げ部７を備え、この吊り下げ部７は後面部２の左右長と同寸とすると共に、後面部２と同一面となるようにしており、その中央に左右横長状で中央上部に半円部を設けた形状となる吊り下げ用穴８を有していた。この吊り下げ部７の吊り下げ穴８を介して商品陳列棚に備えた棒状のフックバーに吊り下げることで、当該商品包装用箱を商品陳列棚に吊るして展示するようにしていた。
【０００４】
【発明の開示】
【発明が解決しようとする課題】
【０００５】
かかる従来の商品包装用箱にあっては、吊り下げ部７を後面部２の上部に当該後面部２と同一面となるように備えていたため、当該商品包装用箱を商品陳列棚のフックバー３１に吊り下げて展示する場合、商品包装用箱の重心位置と吊り下げ部の吊り下げ穴の位置とが前後にずれている関係で、図９に示すように、商品包装用箱が前かがみの状態でぶら下がるようになり、このため商品包装用箱の正面である前面部１が見ずらく、すなわち視認性が非常に悪くなるといった問題があり、また、商品陳列時の見栄えを著しく損ねるといった問題もあった。
【０００６】
さらに、この商品包装用箱にあっては、吊り下げ部を後面部の上部に備えていたため、例えば、当該商品包装用箱を商品陳列棚に吊るして展示するのではなく、上方に積み重ねて山積みに陳列しようとすると、図１０に示すように、後面部の上部に備えた吊り下げ部によって、商品包装用箱が真っ直ぐ積み上がらず、上方に行くほど前方に倒れ込むような状態になり、強いては積み重ねて陳列した商品包装用箱が崩れだすおそれがあった。
【０００７】
また、この商品包装用箱にあっては、流通時、すなわち段ボール箱等に当該商品包装用箱を多数収めて搬送する際、図１１に示すように、後面部２の上部に備えた吊り下げ部７によって、搬送用の段ボール箱３１に効率良く収納することができず、これは、後面部２の上部に備えた吊り下げ部７の分のスペースＳを確保しなければならず、その分、段ボール箱３１を大きくするか、あるいは段ボール箱３１の中に収める商品包装用箱を減らさなければならないといった問題があった。
【０００８】
本発明は、前述した各問題を鑑み、当該商品包装用箱を商品陳列棚に吊るして展示する際の視認性の悪化や商品陳列時の見栄えの悪化等をなくし、さらに、当該商品包装用箱を上方に積み重ねて山積みに陳列した際に商品包装用箱がくずれるのを防止すると共に、流通時における搬送用の段ボール箱に当該商品包装用箱を効率良く収納することのできる商品包装用箱を提供することを、その課題とする。
【課題を解決するための手段】
【０００９】
第一の発明は、前面部と上面部と左右の側面部と後面部と底面部の六面を有して直方体状又は立方体状となると共に、上面部に吊り下げ部７を備えた商品包装用箱において、前記吊り下げ部を上面部における前後中央に立ち上がり折り畳み自在に備えると共に、側面部にその長手方向にわたって開封手段を備えて、この開封手段により側面部が開くようにした商品包装用箱である。
【００１０】
第二の発明は、第一の発明において、前記開封手段を、左右の側面部の両方に備えて、左右の側面部の両側が開くようにした商品包装用箱である。
【００１１】
第三の発明は、第一又は第二の発明において、前記底面部に、側面部に備えた開封手段に連続するようになる開封手段を備えて、これらの開封手段により側面部と底面部とが大きく開くようにした商品包装用箱である。
【発明の効果】
【００１２】
吊り下げ部を上面部における前後中央に備えたことにより、商品包装用箱の重心位置と吊り下げ部の吊り下げ穴の位置との前後位置を同一にすることができ、商品包装用箱を商品陳列棚のフックバーに吊り下げて展示する場合、商品包装用箱を真っ直ぐ垂下した状態でぶらさげることができ、視認性が非常に良好に、かつ、商品陳列時の見栄えも極めて良好にすることができる。
【００１３】
また、吊り下げ部を折り畳み可能に備えたことにより、上方に積み重ねて山積みに陳列しようとする場合、吊り下げ部を折り畳むことで、当該商品包装用箱の上面を平らな面にすることができ、商品包装用箱を真っ直ぐ積み上げることで、荷崩れを防止することができる。
【００１４】
さらに、吊り下げ部を折り畳み可能に備えたことにより、この吊り下げ部を折り畳んでおくことで、段ボール箱等に当該商品包装用箱を収める際、従来のような吊り下げ部が邪魔になるといったことをなくし、搬送用の段ボール箱に効率良く収納することで、搬送を極めて効率良く行うことができる。
【００１５】
しかも、側面部に開封手段を長手方向にわたって備えて、側面部が開くようにしたことで、内部に収納した商品を容易に取り出すことができる。また、この開封手段を左右の側面部の両方に長手方向にわたって備えて、左右の側面部の両側が開くようにしたことで、左右の側面部の一方側より商品を他方側に押し出すことができ、内部に収納した商品を極めて容易に取り出すことができる。
【００１６】
さらに、当該商品包装用箱にあっては、商品を取り出した後は、商品包装用箱をコンパクトに折り畳むことができ、ゴミの減容積化すなわち少量化を行うことのでき、近年のゴミ処理問題を低減させることができる。
【００１７】
また、左右の側面部に開封手段を備えると共に、底面部にも開封手段を備えることで、これらの開封手段により、左右の側面部と底面部とにわたって当該商品包装用箱が二つに割れるように大きく開くようにすることができ、内部に収納した商品を極めて容易かつ簡単に取り出すことができる。
【発明を実施するための最良の形態】
【００１８】
本発明による商品包装用箱の第一実施形態について説明する。
図１に示すように、左右長より上下長が長い縦長となる前面部１と後面部２を備える。そして、この前面部１と後面部２の右側と左側とに配置し前後長より上下長が長い縦長となる左右の側面部３，４を備える。さらに、前面部１と後面部２及び左右の側面部３，４の上側に配置し前後長より左右長が長い左右に横長となる上面部５を備えると共に、前面部１と後面部２及び左右の側面部３，４の下側に配置し前後長より左右長が長い左右に横長となる底面部６を備える。
【００１９】
このように当該商品包装用箱にあっては、前面部１、後面部２、左右の側面部３，４、上面部５、底面部６の六面から直方体状に形成し、その内部に商品を収納するもので、左右の側面部３，４の両側が開口する構造として、この開口する左右の側面部３，４より内部に商品を収納する。なお、この内部への商品の収納は、左右の側面部３，４の両側が共に開口していることで、商品を極めて容易に収納すなわち箱詰めすることができる。
【００２０】
なお、前述の実施形態では直方体状に形成しているが、これに限定されるものではなく、六面それぞれが正方形となる立方体状に形成しても良い。
【００２１】
そして、上面部５における前後中央に左右全長にわたって立ち上がり折り畳み自在となる上方に向かう左右横長の吊り下げ部７を備える。この吊り下げ部７はその付け根部分に左右全長にわたって折曲線Ａを有し、ここで折れ曲がることにより、立ち上がったり、又は折り畳まれたりするようになる。そして、この吊り下げ部７にあっては、折り畳まれたとき、上面部５の面積の範囲内に収まる大きさにしている。また、吊り下げ部７にはその中央に左右横長状で中央上部に半円部を設けた形状となる吊り下げ用穴８を有しており、この吊り下げ部７の吊り下げ穴８を介して商品陳列棚に備えた棒状のフックバーに吊り下げることで、当該商品包装用箱を商品陳列棚に吊るして展示するようになっている。なお、吊り下げ部７の吊り下げ穴８は上記の形状に限定されるものではなく、単なる丸形のものやその他の形のものでも良い。
【００２２】
また、左右の側面部３，４の両方に開封手段１０を備える。この開封手段１０は面積の大きな側面部３，４の前後略中央においてその長手方向である縦方向にその上下全長にわたって備える。なお、この開封手段１０の位置は側面部３，４の前後略中央ではなく前側あるいは後側でも良い。
【００２３】
そして、この開封手段１０により、左右の側面部３，４の両側が大きく開くようにしている。
【００２４】
なお、この開封手段１０としては、二本の平行する略ミシン目によりこの略ミシン目の間が切り取り可能となる帯状の切り取り帯１１である。なお、この開封手段１０もこの切り取り帯１１に限定されるものではなく、一本のミシン目など、開封を可能とするものなら他のものでも良い。
【００２５】
また、前述の第一実施形態にあっては、開封手段１０を左右の側面部３，４の両方に備えて、左右の側面部３，４の両側が開くようにしていたが、左右のどちらか一方のみに開封手段１０を備えて、左右のどちらか一方の側面部のみが開くようにしても良い。
【００２６】
このような構成となる商品包装用箱にあっては、吊り下げ部７を上面部５における前後中央に備えたことで、例えば、当該商品包装用箱を商品陳列棚のフックバー３１に吊り下げて展示する場合、商品包装用箱の重心位置と吊り下げ部７の吊り下げ穴８の位置との前後位置が同一となり、図２に示すように、商品包装用箱が真っ直ぐ垂下した状態でぶら下がる。これにより、商品包装用箱の正面である前面部１が見やすくなり、すなわち視認性が非常に良好になる。また、商品陳列時の見栄えも極めて良好となる。
【００２７】
さらに、当該商品包装用箱を商品陳列棚に吊るして展示するのではなく、上方に積み重ねて山積みに陳列しようとする場合、上面部５に備えた吊り下げ部７を折曲線Ａを介して折れ曲げて折り畳むことで、図３に示すように、当該商品包装用箱の上面を何の突起もない平らな面にすることができ、これにより、商品包装用箱を真っ直ぐ積み上げることができ、積み重ねて山積みに陳列した際の荷崩れをなくすこともできる。
【００２８】
また、流通時においては、図４に示すように、上面部５に備えた吊り下げ部７を折り畳んでおくことで、段ボール箱３２等に当該商品包装用箱を収める際、吊り下げ部７が上面部５より上方にあるいは横方向に突き出ることがなく、従来のような吊り下げ部７が邪魔になるといったことをなくして、段ボール箱３２に効率良く収納することができ、当該商品包装用箱の搬送を極めて効率良く行うことができる。
【００２９】
また、面積の大きな左右の側面部４に開封手段１０を長手方向である縦方向、しかも上下全長にわたって備えたことで、この開封手段１０により側面部が大きく開くようになり、この開いた側面部より内部に収納した商品を容易に取り出すことができる。しかも、この開封手段１０を左右の側面部３，４の両方に備えていることで、左右の側面部３，４の両側が開くようになり、左右の側面部３，４の一方側より商品を他方側に押し出すことができ、商品を極めて容易に取り出すことができる。また、商品を取り出した後は、当該商品包装用箱をコンパクトに折り畳むことができ、これにより、ゴミの減容積化すなわち少量化を行うことによって、近年のゴミ処理問題を低減させることができる。
【００３０】
一方、このように構成する商品包装用箱にあっては、主に紙製で製作されており、しかも一枚の紙材などを切り抜いてこれを組み立てるようにして形成する。なお、紙材のみに限定されるものではなく、他の材料でも良く、また、紙材と他の材料を合わせた多層（二層以上、あるいは紙材などの表面に被覆材を付けたものなど）のものなどでも良い。
【００３１】
次に、この商品包装用箱について、展開平面図を用いて説明する。図５に示すように、吊り下げ部７、貼り付け部２１、前面部１、底面部６、後面部２、上面部５をそれぞれ折曲線Ａ，Ｂ，Ｃ，Ｄ，Ｅを介して直列に連設する。そして、前面部１の左側には折曲線Ｆを介して側面部３を、前面部１の右側には折曲線Ｇを介して側面部４をそれぞれ連設する。さらに、底面部６の左右両側と、後面部２の左右両側と、上面部５の左右両側とに折曲線Ｈ，Ｉ，Ｊ，Ｋ，Ｌ，Ｍを介してそれぞれ舌状のフラップ部２２，２３，２４，２５，２６，２７を連設する。このように当該商品包装用箱は一枚の平たい紙材などにより形成する。
【００３２】
そして、組み立てについては、まず、折曲線Ｂ、折曲線Ｃ、折曲線Ｄ、折曲線Ｅを山折りして、吊り下げ部７及び貼り付け部２１、前面部１、底面部６、後面部２、上面部５を所定の位置に配置する。そして、上面部５の前側半分に貼り付け部２１を接着材で接着する。この接着作業は上面部５の下側に受け台を配置して上方より押圧体により強い力で押し付けることで、上面部５の上面に貼り付け部２１を強固に接着する。そして、図６に示すように、前面部１と底面部６と後面部２と上面部５により形成された空間、すなわち内部に商品を収納する。このとき、左右の側面部３，４の両側が大きく開口していることで、商品を容易に収納すなわち箱詰めさせることができる。そして、商品を収納した後、折曲線Ｈ、折曲線Ｉ、折曲線Ｌ、折曲線Ｍを山折りして、底面部６の左右両側のフラップ部２２，２３、上面部５の左右両側のフラップ部２６，２７を、さらに、折曲線Ｊ，折曲線Ｋを山折りして、後面部２の左右両側のフラップ部２４，２５を内側に折り、最後に、折曲線Ｆ、折曲線Ｇを山折りして、左右の側面部３，４を所定の位置に配置して、内側に位置する左右両側のフラップ部２４，２５に左右の側面部３，４を接着材にて接着する。以上のようにして、当該商品包装用箱を組み立てる。
【００３３】
このように吊り下げ部７、貼り付け部２１、前面部１、底面部６、後面部２、上面部５を直列に連設し、これらの左右の横側に左右の側面部３，４や各フラップ部２２，２３，２４，２５，２６，２７を連設した構成としたことで、一枚の平たい紙材などから極めて歩留り良く切り取ることができ、当該商品包装用箱の製作を安価に行うことができる。
【００３４】
しかも、前述したように、上面部５と貼り付け部２１との接着では、下側に受け台を配置して上方より強い力で押し付けて接着できることにより、ここを極めて強固に接着することができ、折曲線Ａを谷折りして吊り下げ部７を上方に向かわせ、商品陳列棚に備えた棒状のフックバー３１に吊り下げて当該商品包装用箱を商品陳列棚に吊るして展示する際、内部に収納した商品の重さにより、接着した箇所にも力が働くが、この接着した箇所が剥がれるようなことを全くなくして、内容物の露出あるいは落下といった問題を完全に防ぐことができる。
【００３５】
なお、前述した展開平面図で示した当該商品包装用箱は、単なる一例であり、この他の形でも良い。
【００３６】
次に、本発明による商品包装用箱の第二実施形態について説明すると、基本的には前述した第一実施形態と同様、前面部１、後面部２、左右の側面部３，４、上面部５、底面部６の六面から直方体状に形成し、その内部に商品を収納するものあり、上面部５における前後中央に左右全長にわたって立ち上がり折り畳み自在となる上方に向かう左右横長の吊り下げ部７を備える。また、左右の側面部３，４の両方にその長手方向である縦方向にその上下全長にわたって開封手段１０を備える。
【００３７】
このような構成の商品包装用箱において、図７に示すように、底面部６にも左右の側面部３，４の両方に備えた開封手段１０に連続するようになる開封手段１２を備える。この開封手段１２は底面部６における前後略中央に左右全長にわたって備える。なお、前述した第一実施形態での展開平面図で示した商品包装用箱と同じ構造となる場合、底面部６の左右両側に連設したフラップ部２２，２３にも開封手段１０としての切り取り帯あるいは一本のミシン目等を備えるようにしておくと良い。
【００３８】
そして、左右の側面部３，４の両方に備えた開封手段１０と底面部６に備えた開封手段１２により、左右の側面部３，４の両側と底面部６とが大きく開くようにしている。
【００３９】
このように左右の側面部３，４の両方に開封手段１０を備えると共に、底面部６にも開封手段１２を備えることで、これらの開封手段１０及び開封手段１２により、左右の側面部３，４の両側と底面部６とにわたって当該商品包装用箱が二つに割れるように大きく開くようにすることができ、内部に収納した商品を極めて容易かつ簡単に取り出すことができる。
【図面の簡単な説明】
【００４０】
【図１】本発明の第一実施形態の商品包装用箱の斜視図である。
【図２】本発明の第一実施形態の商品包装用箱における使用状態説明図である。
【図３】本発明の第一実施形態の商品包装用箱における使用状態説明図である。
【図４】本発明の第一実施形態の商品包装用箱における使用状態説明図である。
【図５】本発明の第一実施形態の商品包装用箱の展開平面図である。
【図６】本発明の第一実施形態の商品包装用箱における組み立て状態の説明図である。
【図７】本発明の第二実施形態の商品包装用箱における底面側から見た斜視図である。
【図８】従来の商品包装用箱の斜視図である。
【図９】従来の商品包装用箱における使用状態説明図である。
【図１０】従来の商品包装用箱における使用状態説明図である。
【図１１】従来の商品包装用箱における使用状態説明図である。
【符号の説明】
【００４１】
１…前面部、２…後面部、３…側面部、４…側面部、５…上面部、６…底面部、７…吊り下げ部、８…吊り下げ用穴、１０…開封手段、１１…切り取り帯、１２…開封手段、２１…貼り付け部、２２…フラップ部、２３…フラップ部、２４…フラップ部、２５…フラップ部、２６…フラップ部、２７…フラップ部、３１…フックバー、３２…段ボール箱。
【図１】
2006341892.tif 000003
【図２】
2006341892.tif 000004
【図３】
2006341892.tif 000005
【図４】
2006341892.tif 000006
【図５】
2006341892.tif 000007
【図６】
2006341892.tif 000008
【図７】
2006341892.tif 000009
【図８】
2006341892.tif 000010
【図９】
2006341892.tif 000011
【図１０】
2006341892.tif 000012
【図１１】
2006341892.tif 000013